【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
担体（１）と濾過膜（２）と支持体（３）とを備え、前記支持体（３）が前記担体（１）の凹部内に配置または形成されている、液体を濾過するための装置において、
前記濾過膜（２）が実質的に平面状または平坦に前記支持体（３）の上に配置されている装置。
【請求項２】
前記担体（１）がガラスまたはプラスチックで構成された顕微鏡のための対象物担体であるか、或いは前記支持体（３）が構造化されており、プラスチック若しくはセラミックで構成されている、請求項１に記載の装置。
【請求項３】
前記担体（１）が１〜１．５ｍｍの範囲内の厚みＤXを有するとともに、７５〜７６ｍｍの範囲内の長さＬと、２５〜２６ｍｍの範囲内の幅Ｂとを有しており、前記濾過膜（２）が１〜２０μｍの範囲内の厚みＤMと、２５ｍｍの範囲内の直径φMとを有している、請求項２に記載の装置。
【請求項４】
前記担体（１）の凹部が前記支持体（３）と同じ大きさであるか前記支持体または前記濾過膜（２）が円形に構成されている、請求項１から３のいずれか１項に記載の装置。
【請求項５】
前記担体（１）と前記支持体（３）とが１つの本体から一体的に構成されているか或いは前記濾過膜（２）がその縁部領域（５）で前記担体（１）に取り付けられており、前記濾過膜（２）が前記支持体（１）の凹部を全面的に覆っているか、または前記縁部領域（５）で前記担体（１）と溶接されている、請求項１から４のいずれか１項に記載の装置。
【請求項６】
前記支持体（３）が、前記濾過膜（２）と流体接続されて構成された、前記濾過膜（２）のほうを向く側（６）に構成された通路（８，１０）を備えているか（このとき、前記支持体の中心点（１１）から前記担体（１）の方向に前記通路（８）の数が増えていてもよく）または前記支持体（３）が前記通路（８）を相互に流体接続する円軌道に構成された通路（１０）を備えている、請求項１から５のいずれか１項に記載の装置。
【請求項７】
前記通路（８，１０）が前記支持体の中央領域（１１）から前記担体（１）の方向に向かって増える深さおよび／または幅を有するように構成されており、または前記支持体（３）の中心点（１１）からの前記通路（８および／または１０）の距離ｒの２乗で合計が増える通路断面積を有する通路（８および／または１０）を有するように構成されており、あるいは前記支持体の円周（５）の領域には前記支持体（３）および／または前記担体（１）に、１つまたは複数の前記通路（８，１０）と流体接続された、前記支持体（３）および／または前記担体（１）の厚みを通って完全に連続する濾液の排出開口部（９）が構成されている、請求項６に記載の装置。
【請求項８】
前記濾過膜（２）及び前記支持体（３）が前記接触面（１２）の平坦で平面的な面に位置する多数の接触個所（１２）を有しており、前記支持体（３）は前記濾過膜（２）と前記支持体（３）の接触領域においてウェブ（１３）の形態で、および／または柱の形態で構成されている、請求項１から７のいずれか１項に記載の装置。
【請求項９】
前記濾過膜（２）が、ポリカーボネートフィルムで構成され、マイクロメートル単位の直径をもつ穴を含み、１平方センチメートルにつき１０5個の穴密度を有するトラック・エッチド・濾過膜である、請求項１から８のいずれか１項に記載の装置。
【請求項１０】
前記装置が９０℃の温度で熱的に安定している、請求項１から９のいずれか１項に記載の装置。
【請求項１１】
請求項１から１０のいずれか１項に記載の装置により流体を濾過する方法において、流体として血液が使用され、前記流体から細胞が濾過される方法。
【請求項１２】
細胞として血液中にある癌細胞が濾過され、健康な細胞は、流体から前記濾過膜（２）により残滓として濾しとられず、もしくはわずかしか濾しとられない、請求項１１に記載の方法。
【請求項１３】
前記濾過膜の濾過残滓が濾過の完了後に着色される、請求項１１または１２に記載の方法。
【請求項１４】
請求項１から１３のいずれか１項に記載の装置および／または方法の利用法において、濾過残滓を濾過して顕微鏡検査するための利用法。
【請求項１５】
顕微鏡検査が蛍光顕微鏡を用いて行われる、請求項１４に記載の利用法。
【手続補正２】
【補正対象書類名】明細書
【補正対象項目名】全文
【補正方法】変更
【補正の内容】
【発明の詳細な説明】
【発明の名称】液体を濾過するための装置および方法並びに顕微鏡検査法での利用法
【技術分野】
【０００１】
本発明は、担体と濾過膜と支持体とを備えてなる、液体を濾過するための装置に関するものであり、支持体は担体の凹部内に配置または形成されている。さらに本発明は、この装置によって液体を濾過する方法に関し、および、濾過膜上に残っている残滓を顕微鏡検査法で検査するための利用法に関する。
【背景技術】
【０００２】
顕微鏡検査法は、分析化学において広く普及している手段である。特に「ライフサイエンス」の学問では、たとえば組織や細胞の特徴を調べるために欠くことのできないツールである。検査されるべき媒体と顕微鏡の結像コンポーネントとの間の「インターフェース」には、対象物担体を使うことが定着している。これは、２６×７６ｍｍ（ＩＳＯ８２５５−２）の大きさと、１〜１．５ｍｍの厚さのガラス板である。対象物はたとえば薄層として対象物担体の上に載せられ、通常は大きさが１８×１８ｍｍ、厚みが０．１６ｍｍであるカバーガラスで覆うことができる。対象物は、たとえば液体膜で取り囲まれた組織断片である。
【０００３】
たとえば大きさの異なる固体を、相互に分離するためおよび／または液体から分離するための濾過技術も、同じく広く知られた技術である。顕微鏡検査法と濾過技術とを組み合わせて、濾過プロセスに引き続いて濾過残滓が顕微鏡検査法で検査される。そのためには、たとえば濾過膜のようなフィルタ媒体を濾過装置から取り外して、対象物担体の上に置かなくてはならない。このプロセスは、特に薄い濾過膜の場合には、たとえば厚さ１０μｍ、直径２５ｍｍの濾過膜の場合には、高い実験技術を必要とし、非常に時間コストがかかり、失敗が起こりやすく、このことは、実際問題として検査方法のいっそう高い費用と結びついている。さらには手作業での相互作用のせいで、品質標準の確保という観点からの標準化が難しくなる。手作業での相互作用で知られている問題は、たとえば濾過膜の部分的な破損や、濾過膜と対象物担体の間での気泡の堆積であり、そのために以後の顕微鏡検査が難しくなる。
【０００４】
たとえば血液検査で濾過された腫瘍細胞の検査にあたって、このようなプロセスを医療診断でルーチン作業として低コストに適用しようとするならば、簡単で低価格な解決法を開発するほかない。そうした解決法は、習熟していない人間でも実行することができるのが望ましい。手作業によるプロセスステップを最低限に抑えることが、改善された標準化の可能性につながるとともに、結果品質の低下を回避することにつながる。
【発明の概要】
【発明が解決しようとする課題】
【０００５】
そこで本発明の課題は、標準方式で高い品質をもって適用することができ、簡素に構成されており、簡単に取扱可能であり、ならびに低コストである、液体を濾過するための装置および方法を提供することにある。特に本発明の課題は、後続する顕微鏡検査法での検査に良く適している、液体を濾過するための装置および方法を提供することにある。この構造は、標準保持部を備える標準器具で適用可能であるのがよく、それは、たとえば光学顕微鏡や蛍光顕微鏡による検査を簡単かつ安価に濾過残滓で連続式に実施できるようにするためである。特に、（循環する）腫瘍細胞の採取と検査を可能にすることが課題となる。
【課題を解決するための手段】
【０００６】
上述した課題は、液体を濾過するための装置に関しては請求項１の構成要件、即ち、担体（１）と濾過膜（２）と支持体（３）とを備え、前記支持体（３）は前記担体（１）の凹部内に配置または形成されている、液体を濾過するための装置において、
前記濾過膜（２）が実質的に平面状または平坦に前記支持体（３）の上に配置されている装置、によって解決され、この装置により液体を濾過する方法に関しては請求項１１の構成要件、即ち、上記液体を濾過するための装置により流体を濾過する方法において、流体として血液が使用され、前記流体から細胞が濾過される方法、によって解決され、この装置および方法の利用法に関しては請求項１４の構成要件、即ち、上記の装置および／または方法の利用法において、濾過残滓を濾過して顕微鏡検査するための利用法、によって解決される。
【０００７】
液体を濾過する本発明の装置および方法、ならびにその利用法の好ましい実施形態は、それぞれ付属の従属請求項から明らかとなる。このとき主請求項の構成要件を従属請求項の構成要件と組み合わせることができ、また、従属請求項の構成要件を相互に組み合わせることができる。
【０００８】
液体ないし懸濁液を濾過する本発明の装置は、担体と、濾過膜と、支持体とを備えている。支持体は担体の凹部内に配置または形成されている。濾過膜は支持体の上で平面的または平坦に配置されている。この関連において平坦とは、山状や谷状の隆起のない平坦な平面に濾過膜が配置されることを意味している。
【０００９】
本発明による装置の構成は、フィルタとしての薄い濾過膜を、標準形式の担体の上に装着することを可能にする。支持体は濾過のときに、濾過膜を機械的に支えるように作用し、それにより、大量の液体の濾過が適切な時間内に可能となる。濾過膜を平面的に装着することで、一方では、濾過膜と支持体との間で数多くの共通の支持個所が成立することが保証される。そのようにして濾過膜が非常に薄く構成されていてよく、大量の液体を高い流速で濾過するときに裂けることがない。非常に薄く構成して製造することができる濾過膜は、厳密に定義された貫通孔ないし穴を有する、たとえば粒子の打込みによってフィルムから製作された濾過膜であってよい。均等に配分された多数の支持個所による支持体を用いた良好な支持は、このような濾過膜をフィルタとしての使用するために重要である。
【００１０】
担体は、ガラスまたはプラスチック、特にポリカーボネートで形成された、特に顕微鏡検査のための対象物担体であってよい。これら両方の素材は低コストかつ容易に加工可能であり、可視領域で光に対して透過性である。支持体は構造化されていてよく、特に多孔性であってよい。この構造化は、濾過膜のための支持個所の数を規定するとともに、濾過膜を通って貫流した後に、濾過された液体が流出することを可能にする。支持体はプラスチック、特にポリカーボネート、もしくはセラミックで構成されていてよい。プラスチックは容易に構造化することができ、たとえば射出成形技術で低コストに、かつ容易に構造化して製造することができる。セラミックは、定義された穴サイズで容易に多孔性として低コストに製造可能である。濾過膜のための担体として対象物担体を利用することは、簡単な取扱と標準器具での使用を可能にする。ガラスまたはプラスチックからなる対象物担体は、機械的にも化学的にも非常に安定しており、このことは、たとえば顕微鏡検査の前の濾過残滓の前処理にとって重要である。透明な担体は、特に透過モードならびに反射光モードで、特に光学顕微鏡での利用を可能にする。
【００１１】
担体は、１〜１．５ｍｍの範囲内の厚みを有することができ、７５〜７６ｍｍの範囲内の長さと、２５〜２６ｍｍの範囲内の幅とを有することができる。濾過膜は、１〜２０μｍの範囲内の厚み、好ましくは１０μｍの範囲内の厚みと、２５ｍｍの範囲内の直径とを有することができる。このような寸法により、もっとも頻繁に使われる標準器具の対象物担体のための保持部で、担体を良好に適用可能である。検査のときに滑ることがない良好な保持が保証される。上述した寸法をもつ濾過膜は、たとえば粒子の打込みによって容易に製造することができ、担体の上に平坦に配置することが良好にできる。このような濾過膜は、濾過膜を通る流体の高い流速での良好なフィルタ作用のときに裂けたり、その他の形で損傷をうけたりしないようにするために、支持体との関連で十分に安定性を有している。
【００１２】
担体にある凹部は、支持体と同じ大きさであってよい。それによって担体での支持体の良好な保持が可能となり、ないしは、支持体が担体材料から一体的に製作されていてもよい。後者のケースでは、恒常的に安定した構造が与えられる。支持体は円形に構成されていてよく、濾過膜は同じく円形に構成されていてよい。このことは、流体のための円形の供給管と円形の排出管とを備えるシステムでの採用を容易にする。さらに丸い構成は、顕微鏡検査を容易にする。円形の領域全体を、顕微鏡の視野のなかで光学的に解像することができるからである。円形の貫流空間での使用がそれによって同じくサポートされ、このような実施形態は、層流や良好な洗浄可能性に関して利点を有している。
【００１３】
担体と支持体は、すでに説明したとおり、１つの本体から一体的に構成されていてよい。このことは製造を容易にするとともに、使用時の安定性を向上させる。濾過膜はその縁部領域で担体に取り付けられていてよく、濾過膜は担体の凹部を全面的に覆い、特に凹部の領域で支持体の上に平坦に載る。縁部領域では、濾過膜が担体と溶接されていてよい。濾過膜が全面的に覆う構成により、液体の完全な濾過が可能であり、未濾過の液体が凹部の縁部領域を通過することがない。液密であってよい良好な取付けは、担体への濾過膜の溶接によって与えられる。
【００１４】
支持体は、濾過膜と流体接触している、濾過膜側を向いている側に構成された通路を含むことができる。このような通路は、濾過された液体を濾過膜から良好に流出させることを可能にし、それにより、濾過膜を通って濾過されるべき液体の良好な貫流を可能にする。支持体は、特に、支持体の中央領域から担体の方向に、ないしは以下において担体の方向と同一に解釈される濾過膜の縁部領域の方向に、放射状に延びるように構成された通路を含むことができる。それにより、濾過膜で覆われている面を通って多数の通路が延びることができる。支持体の中心点から見て担体の方向に、特に支持体の中心点からの距離の２乗で増える通路の数をもって、通路の数が増えてゆくように構成されていてよい。このことは、濾過膜で覆われる支持体の表面における通路の高くかつ均等な密度をもたらす。
【００１５】
さらに支持体は、放射状の通路を相互に流体接続する、円軌道の上に構成された通路を有することができる。星形および円形に延びる通路を備えた構造は、濾過膜からの濾過された液体の良好な排出を可能にする。円形の通路と星形に延びる通路からなるネットワークは、支持体の表面における通路の高い密度と、通路を含めない支持体面積の最小化とを可能にする。
【００１６】
通路は、支持体の中央領域から担体の方向に向かって増えていく深さおよび／または幅ないし通路断面積を有するように構成されていてよい。このことも、上に説明したような、支持体の中央領域から縁部領域に向かって数が増えていく通路と同じ効果を有しており、ないしはこの効果をサポートする。特に通路の断面ないしその通路断面積を、支持体ないし（濾過膜の表面と向かい合う）支持体表面の中央領域からの距離ないし中心点からの距離の２乗で増やすことができる。このことは、断面ないし断面の面積が、支持体ないし支持体表面の中心点からの、およびこれに伴って濾過膜表面からの、距離ｒの２乗に比例することを意味している。好ましくは、通路断面積の増大は距離ｒの２乗より大である。通路を構成するさらに別の選択肢は、通路断面積の合計が、支持体および／または隔膜の中心点からの通路の距離ｒの２乗で増えていく通路断面積を有する構成にある。付言しておくと、通常、隔膜表面ないし隔膜の中心点は、支持体表面ないし支持体の中心点と同一である。支持体の中心点からの距離にともなう通路断面の増大は、フィルタの中央から見て縁部領域の方向へも、濾過された液体のスムーズな流出を可能にし、縁部領域では広い面積に基づいて、および中央領域からくる流体に基づいて、中央領域よりも多くの液体がフィルタを貫流する。
【００１７】
支持体の円周の領域には、支持体および／または担体の厚みを全面的に通過する流体の排出開口部が、支持体および／または担体に構成されていてよい。このような排出開口部は、１つまたは複数の通路とそれぞれ流体接続されていてよい。通路に集められて運ばれる液体を、排出開口部を介して、担体の前面から裏面へと濾過膜から離れるように運ぶことができる。濾過膜を通ってこれから出ていくスムーズな流体流、およびこれに伴う濾過膜の良好な貫流、そして高い流速での濾過が可能となる。支持体の縁部領域への濾過膜の安定性や、支持体の支持作用を大幅に制約することがない。
【００１８】
濾過膜と支持体は、接触領域ないし直接的な機械的接触点を備える平坦な共通の面を有することができ、以下においてこれを接触面と呼ぶ。このとき特に濾過膜は、平坦な接触面に対して１００μｍ以下の最大間隔を有することができる。平坦な面は、平坦な平面での濾過残滓の配置を可能にし、たとえば顕微鏡検査のときに、その平面で濾過された対象物に合わせた良好な焦点合わせによる良好な結像が可能となる。支持体は、濾過膜と支持体との接触領域において、濾過膜との接触点のところで１００μｍ以下の幅をもつウェブの形態で、特に、三角形の断面（ウェブの高さに沿った切断面）をもつウェブの形態で構成されていてよい。別案として、ウェブは柱の形態で構成されていてもよい（柱が延びている高さないし長手方向に沿って４角形の断面）。小さな幅をもつ支持個所の構成は、濾過膜を通る液体の良好な排出と、フィルタの残滓の均等な分布とを可能にする。濾過膜と支持体の間の直接的な機械的接触がある面を最低限に抑えることを、支持体の良好な支持作用のもとで実現することができ、支持作用と最低限の直接的な接触との間で、すなわち濾過膜を通る液体の良好な貫流と排出との間で、最善の状態が生じる。
【００１９】
濾過膜は、ポリカーボネートフィルムから作成され、マイクロメートル単位の直径、特に８μｍの直径の穴を含み、１％〜８０％の穴密度（総面積に対する穴の面積として）、特に１平方センチメートルあたり１０5個の穴密度を有する、トラック・エッチド・濾過膜であってよい。エッチド・濾過膜は、見通しの立つコストで、厳密に定義された穴直径を有するように製造可能であり、小さい厚みで良好な安定性を有している。
【００２０】
本装置は９０℃の温度で熱的に安定していてよい。このことは、顕微鏡検査の前の特定の濾過残滓の化学的、生物学的な前処理を可能にする。
【００２１】
上に説明した装置を用いて液体を濾過する方法では、液体として血液が使用され、特に、赤血球を溶解させる溶解緩衝液が混合された血液が使用され、この流体から細胞が濾過される。細胞として、血液中にある癌細胞ないし腫瘍細胞、特に白血球を濾過残滓として濾過することができ、健康な細胞は濾過残滓として濾過膜によって流体から濾しとられず、もしくはわずかしか濾しとられない。とりわけ８μｍの穴サイズをもつトラック・エッチド・濾過膜としての濾過膜の構成は、濾液から健康な細胞を濾しとることなく、もしくはほとんど濾しとることなく、流体からの腫瘍細胞の分離を可能にする。濾過膜の下側の支持体における特別に均等な通路の構成、ないし通路ネットワークは、特に濾過膜面全体にわたって均等に、濾過された液体の良好で均等な貫流を可能にする。このことはひいては、濾過膜面における濾過残滓の、たとえば腫瘍細胞の非常に均等な分布を可能にするので、これに引き続いての顕微鏡検査や、たとえば個々の細胞の良好な光学的解像度が可能となる。
【００２２】
改善された検証を行うために、濾過の完了後に濾過残滓を着色することができる。このことは、特に顕微鏡検査の場合に、たとえば腫瘍細胞などの検証を容易にする。濾過膜、支持体、および／または担体の９０℃までの温度安定性と良好な化学的耐性は、検査に備えた濾過残滓の準備を可能にし、たとえば細胞の分解、タンパク質やＤＮＡの複製とマーキングなどを可能にする。溶解緩衝液の使用は細胞壁の溶解を可能にし、たとえばＤＮＡの複製にＰＣＲを利用することができる。マーキングは、たとえば相補的なＤＮＡフラグメントを通じて、たとえばメチレンブルーなどの結合された顔料で行うことができる。別案として、溶解によって赤血球を溶かし、そのようにして濾過されるべき細胞の数を減らすことができる。白血球は溶解によって溶けることはなく、正常な白血球の直径の最大２０倍の直径をもつ大きくなった細胞である腫瘍細胞は、健全な白血球（濾過膜から出てきた濾液）から濾過残滓として分離することができる。腫瘍細胞の光学検査を準備するための準備ステップは、非常に高いコストのかかる化学的、熱的なステップを含んでいる場合がある。
【００２３】
本装置および／または本方法は、濾過をして濾過残滓を顕微鏡検査するため、特に光学顕微鏡または蛍光顕微鏡で検査するために適用することができ、濾過膜の極端に平坦な構成は、濾過残滓に合わせた良好で簡単な焦点合わせと、光学的に鮮明で良好な濾過残滓の結像とを可能にする。支持体の小さいウェブサイズにより、およびこれと結びついた、濾過膜と流体接触している利用可能な広い通路の面積により、濾過膜を通る流体の均等な流れを実現することができ、望ましくない粒子でさほど覆われていない、もしくはまったく覆われていない、均等に分布した濾過残滓を得て調べることができる。このことは、とりわけ透過式または反射式の顕微鏡検査で利点となる。
【００２４】
上述した装置を用いて流体を濾過する方法およびその利用法と結びついた利点は、上に装置に関して説明した利点に準ずる。
【００２５】
次に、従属請求項の構成要件に基づく発展例を含めた本発明の好ましい実施形態について、図面を参照しながら詳しく説明するが、これに限定をするものではない。図面には次のものが示されている：
【図面の簡単な説明】
【００２６】
【図１】担体と、支持体と、その上に載った濾過膜とを有する本発明の装置を平面図として示す模式図である。
【図２】図１に示す装置を示す模式的な断面図である。
【図３】通路と排出開口部とを備える支持体を示す詳細な模式図である。
【図４】図３に示す支持体を示す模式的な断面図である。
【発明を実施するための形態】
【００２７】
図１に示す本発明の装置は、担体１と、担体１の凹部に配置された支持体３とを含んでいる。担体１は、光学顕微鏡用の対象物担体の形態で平たく構成されている。支持体３から間隔をおいた領域に把持面４としての面が構成されていてよく、これは、当該領域の表面がたとえば粗面化されていることによる。対象物担体は、通常、７６ｍｍの範囲内の長さＬと、２６ｍｍの範囲内の幅Ｂとを有している。別案として、対象物担体は７５ｍｍの範囲内の長さと２５ｍｍの範囲内の幅とを有することもできる。図２には、担体１の長さＬに沿った断面が示されており、担体１は厚みＤXを有している。通常、対象物担体は１〜１．５ｍｍの範囲内の厚みＤXを有している。標準的に用いられるこれ以外のサイズの対象物担体も、同じく使用することができる。
【００２８】
図１と図２に示すように、担体１と支持体３の前面６には、円形でフィルム状の濾過膜２が平坦に配置されている。円形の濾過膜２は、たとえば２５ｍｍの範囲内の円形の直径φＭと、１０μｍの範囲内の厚みＤMとを有している。濾過膜２は縁部領域５で、たとえば溶接や接着によって、担体と機械的に結合されている。濾過膜２の下方に円形の支持体３が配置されている。支持体は、たとえば２３ｍｍの範囲内の円形の直径φＳと、担体の厚みに相当する厚みＤXとを有している。濾過膜２は支持体３の上に平坦に載っており、支持体３と濾過膜２との間の平坦な接触面との相違は、たとえば最大で１００μｍであってよい。支持体２と担体１は一体化された本体から成形されていてよく、または円形の支持体３は、特に機械的に安定的に担体２と結合されて、担体の厚みＤXを通って完全に連続する円形の凹部の中に配置されていてもよい。支持体３および凹部の円形の形状のほか、たとえば長方形や三角形などこれ以外の形状も可能である。このとき、支持体３と担体１の凹部との間の嵌合式の接触が好ましい。
【００２９】
図１と図２に見られるとおり、支持体３の表面には前面６に通路８，１０が構成されている。便宜上、図１では通路８，１０が略示されているにすぎず、完全には図示されていない。図３には、支持体３の通路８，１０の考えられるパターンが詳細に模式的に示されているが、図面を見やすくするために、少数の通路８，１０だけで示されている。通路８は、濾過膜２ないし支持体３の円形の中心点１１から縁部領域５の方向へ星形に延びるように、支持体３の表面に構成されている。縁部領域５の方向で、表面における通路８の通路密度を実質的に一定に保つために、通路８の数は中心点１１から縁部５の方向に増えていく。中心点１１からの距離ｒに伴って通路８の断面が増えていくとき、最大の距離ｒは直径φＳの半分よりも短い。通路８の数および／または断面の増加により、濾過膜２を通って濾過されるべき流体の均等な流れが可能となる。別案として、または縁部５の方向での通路８の数の増加との組み合わせで、担体表面における通路断面ないし通路深さを縁部５の方向で、好ましくは中心点１１からの距離ｒの２乗で増やすことができ、または、円中心点１１と円半径ｒ（中心点１１と円周の間の距離ｒ）をもつ円の円周に位置している通路８の断面積すべての合計を、距離ｒの２乗で増やすこともできる。
【００３０】
濾過膜２の縁部領域５のほか、支持体３もしくは担体１には、または支持体３と担体１の間の接触領域には、担体１ないし支持体３の厚みＤXを通って全面的に連続する排出開口部９が配置されている。通路８は排出開口部９で終わっている。濾過膜２を通って流れる流体は、通路８および排出開口部９を介して、担体の前面６から来て担体１の裏面７へと達し、そこから運び出すことができる。濾過膜２の良好で均等な貫流、ならびに流体の良好な濾過が可能となる。特に、濾過膜面全体にわたって均等な圧力低下が実現される。
【００３１】
通路８は、円形に構成された通路１０によって相互につながっている。円形の通路１０は、濾過膜２の下方で、特にいっそう均等な改善された流体流につながる。通路８に準じて、通路１０の断面および／または数も、中心点１１からの距離ｒが増すにつれて増やすことができ、特に距離ｒの２乗で増やすことができる。通路８に準じて、通路１０および／または通路８の断面の合計も、中心点１１からの距離ｒが増すにつれて、特に距離ｒの２乗で増やすことができる。
【００３２】
濾過膜２を通る流体の平坦で均等な流れと良好な排出を、支持体３全体にわたって担体１の裏面７の方向で可能にするために、濾過膜２と支持体３との間の直接的な接触を最低限に抑えるのが好ましい。そのようにして、濾過膜表面における濾液の均等な分布を実現することができる。濾過膜２と支持体３との間の平面的な最小の機械的接触は、たとえば、それぞれの通路８および／または通路１０の間に、図４に示すようなウェブ１１だけが支持体３の表面に構成される程度に多い数と高い密度で通路８，１０が構成されているときに得られる。図４には、図３に示す支持体３の断面が切断線ＩＶ−ＩＶ’に沿って示されており、図面を見やすくする都合上、少数の通路１０とウェブ１３だけが図示されている。多い数と高い密度、および特に図４に示すようなウェブ１３の三角形状は、濾過膜２と支持体３との間の最小の直接的な機械的接触を、装置の高い機械的な安定性で可能にする。このようにして、縁部領域５を除く隔膜２の面全体にわたって、特別に均等な流体流が可能となる。
【００３３】
本装置の特別に簡素で安価な製造は、担体１と支持体３の製作にポリカーボネートを使用したときに与えられる。特に、支持体３と担体１が一体的な本体から製作されていれば、通路８，１０を支持体の表面へフライス加工することができる。別案として通路８，１０は、たとえば形鋳物やレーザ加工によって構成することができる。排出開口部９は、たとえば穿孔、フライス加工、レーザ加工、形鋳物などによって製作することができる。濾過膜２は粒子の打込みによってフィルムから作成されていてよく、特に、トラック・エッチド・濾過膜としてポリカーボネートフィルムから作成されていてよい。縁部領域５では、たとえば接着や溶接によって、濾過膜２が担体１へ機械的に取り付けられていてよい。
【００３４】
別案として、支持体３の材料としてセラミックを使用すれば、通路８，１０に準じて流体の均等な流出を可能にする多孔性層を、支持体３の表面に形成することができる。支持体３が全面的に多孔性材料で構成されているとき、排出開口部９と通路８，１０は多孔性により与えられていてよい。
【００３５】
定義された穴直径をもつポリカーボネートフィルムで構成されるトラック・エッチド・濾過膜の使用は、たとえば血液から腫瘍細胞を濾過するために、本発明の装置を適用することを可能にする。たとえば８μｍの穴直径では、血液中の健康な細胞（たとえば白血球や赤血球）は濾過膜２をほぼ通過することができるのに対して、大きすぎて弾性のない腫瘍細胞は濾過膜２にとどめられる。こうして腫瘍細胞が血液から濾過されて、濾過膜にとどめられる（濾過残滓）。濾過膜２の面にわたって均等な流体流は、それが濾過後に濾過膜２に実質的に均等に分散して存在する形態で、腫瘍細胞の濾過を可能にする。このようにして、腫瘍細胞の光学検査が容易になる。血液に代えて、これ以外の液体や気体、あるいは液体中にある固体も濾過することができる。
【００３６】
少なくとも９０℃までの範囲内で、本発明による装置に温度安定的な材料を使用することは、濾過膜２の上での細胞の溶解分解、たとえば細胞のＤＮＡの複製とマーキングを可能にする。別案として、細胞そのものをたとえば顔料によって固有に着色することができる。そのようにして、特に光学顕微鏡や蛍光顕微鏡のような光学検査が容易になる。平たく平坦な平面における濾過膜２の平たい平坦な構成は、濾過残滓の良好な焦点合わせと結像を可能にする。
【符号の説明】
【００３７】
１  担体
２  濾過膜
３  支持体
８  通路
１０  通路
１２  接触面